(57)【要約】【課題】インクジェット記録装置において、記録ヘッドからのインクの吐出制御を行うことによって、カラーフィルタにおける画素間の混色を低減し、高分解能を有する高品位なカラーフィルタを高スループットで製造し得るようにする。【解決手段】記録データに基づき記録ヘッドに設けられた記録素子からインクを吐出させる駆動回路を、記録データを所定の転送周期で順次転送する記録データ転送手段３２１と、複数の異なるタイミングの駆動パルス信号を発生する駆動パルス信号発生手段２１０２と、前記駆動パルス信号の出力時間が複数の転送周期に及ぶ場合には複数の転送周期以内における駆動パルス信号の切り替えを禁止する駆動パルス信号切り替え禁止手段３２５とを備え、異なる記録素子の駆動期間が時間的に一部重なるタイミングで駆動し得るようにする。【選択図】        図４
2004347816.tif 000002
【特許請求の範囲】
【請求項１】
記録データに基づき記録ヘッドに設けられた記録素子からインクを吐出させる駆動回路を備えると共に、記録ヘッドと相対的に記録媒体を移動させることによって記録を行うようにしたインクジェット記録装置において、
前記駆動回路は、
前記記録データを所定の転送周期で順次転送する記録データ転送手段と、
複数の異なるタイミングの駆動パルス信号を発生する駆動パルス信号発生手段と、
前記駆動パルス信号の出力時間が複数の転送周期におよぶ場合には、前記複数の転送周期以内における駆動パルス信号の切り替えを禁止する駆動パルス信号切り替え禁止手段と、を備え、
異なる記録素子の駆動期間が時間的に一部重なるタイミングで駆動し得るよう制御する制御手段と
を有することを特徴とするインクジェット記録装置。
【請求項２】
記録ヘッド内の複数の記録素子を、１つ以上の記録素子からなる複数ブロックに分割し、各ブロックを異なるタイミングで駆動し得るようにすると共に、各ブロック単位あるいは２つ以上のブロック単位毎に前記駆動回路を設けたことを特徴とする請求項１に記載のインクジェット記録装置。
【請求項３】
前記駆動パルス信号発生手段は、前記各記録素子の駆動パルス信号のパルス幅が、前記転送周期と時間的に重なる場合、前記駆動パルス信号と前記転送周期とが時間的に重なる周期数以上の種類の駆動パルス信号をそれぞれ独立して発生させると共に、この複数種の駆動パルス信号を画像データの転送周期毎に切り替えて出力することを特徴とする請求項２に記載のインクジェット記録装置。
【請求項４】
前記記録ヘッドは、複数種設けられ、各々の記録ヘッドから異なる色のインクを吐出することを特徴とする請求項１ないし３のいずれかに記載のインクジェット記録装置。
【請求項５】
互いに異なる色のインクを吐出可能な複数種の記録ヘッドを用いると共に、カラーフィルタ形成用の記録データに基づき各記録ヘッドに設けられた各記録素子からそれぞれインクを吐出させる駆動回路を備え、前記記録ヘッドとフィルター形成用基板とを相対的に移動させつつインクを吐出することによってカラーフィルタを形成するようにしたカラーフィルタ製造装置において、
前記駆動回路は、
前記記録データを所定の転送周期で順次転送する記録データ転送手段と、
前記記録データ転送手段から転送されてくる記録データが有効であるか否かに応じて駆動パルス信号の送出、遮断を行う駆動パルス信号発生手段と、
前記駆動パルス信号の出力時間が複数の転送周期におよぶ場合には、前記複数の転送周期以内における駆動パルス信号の切り替えを禁止する駆動パルス信号切り替え禁止手段と、を備え、
異なる転送周期で有効となった記録データに基づき、異なる記録素子を時間的に重なるタイミングで駆動し得るようにしたことを特徴とするカラーフィルタ製造装置。
【請求項６】
請求項５記載のカラーフィルタ製造装置によって、フィルター基板上に複数のカラーインクからなる画素を記録することを特徴とするカラーフィルタ製造方法。
【請求項７】
請求項６に記載のカラーフィルタ製造方法によって形成されたカラーフィルタ。
【発明の詳細な説明】
【０００１】
【発明の属する技術分野】
本発明は、インクを吐出する記録ヘッドを用いて記録媒体に画像を形成するインクジェット記録装置、特に、記録媒体としてカラーフィルタ用基板を用い、この基板に各画素を着色することによってカラーフィルタを製造するカラーフィルタ製造装置への適用に好適なインクジェット記録装置等に関する。
【０００２】
【従来の技術】
近年、パーソナルコンピュータの発達、特に携帯用パーソナルコンピュータの発達に伴い、液晶ディスプレイ、とりわけカラー液晶ディスプレイの需要が増加する傾向にある。しかしながら、さらなる普及のためには液晶ディスプレイのコストダウンが必要であり、特にコスト的に比重の高いカラーフィルタのコストダウンに対する要求が高まっている。
【０００３】
このような要求を満たすカラーフィルタを製造方法として、特許文献１、特許文献２あるいは特許文献３等には、インクジェット方式を用いてカラーフィルタを製造する方法が開示されている。これらの方法は、Ｒ（赤）、Ｇ（緑）、Ｂ（青）の三色の色素を含有する着色液をインクジェット方式で光透過性の基板上に吐出し、各着色液を乾燥させて着色画素部を形成するものである。
【０００４】
こうしたインクジェット方式では、Ｒ，Ｇ，Ｂの各画素の形成を一度に行うことが可能で大幅な製造工程の簡略化と、大幅なコストダウンとを図ることができる。
【０００５】
次に、従来のカラーフィルタ描画時のインクジェットヘッド駆動回路における吐出データの転送方法について説明する。
図６はカラーフィルタ基板の画素の一例を示す説明図であり、図７はカラーフィルタ基板にインクジェット方式によって着色画素部を描画する一例を示す説明図である。
【０００６】
図６において、インクを吐出するガラス基板３００の画素３０１は、ヘッド３０３のノズル列方向に直角に配置され、画素列方向にインクにて描画を行いながら走査する。この走査は、ガラス基板３００を保持するステージをヘッド３０３に対して移動させることによって行われ、その走査速度は、描画に要求されるスループットによって決定される。また、描画される画像の分解能は、描画に必要なインクの着弾位置制御精度によって決定される。さらに、１ライン分の画像データはラッチ回路を介して駆動回路へと転送する際に、ラッチ回路で画像データをラッチする周波数、すなわち、インクジェットヘッドの駆動周期（時間）が、このステージによる走査速度と画像分解能とによって決定される。この３つの数値（画像分解能、走査速度、駆動信号周期）の関係は、以下のようになる。
画像分解能  ／走査速度  ＝  駆動信号周期        （式１）
また、１つのヘッドで各ノズルから連続して吐出する駆動パルス幅は、ヘッドの吐出性能によって限界があり、通常、以下のような関係となる。
吐出パルス幅  ＜駆動信号周期            （式２）
【０００７】
図８は従来のヘッドから吐出させる場合のタイミングチャートを示している。
走査するステージの位置情報に基づいて出力される吐出スタートタイミング信号（ＴＲＧ）により制御動作が開始される。各ノズルの吐出の有効、無効を設定するシリアル画像データ（ＩＤＡＴＡ）が、クロック（ＣＬＫ）に同期して、図９に示す吐出制御回路にシリアルで転送される。吐出制御回路に転送されたシリアル画像データは、データラッチ信号に応じてラッチされる。この後、前記ラッチされたデータの論理出力に基づき、吐出有効なノズルの出力回路に駆動信号が出力され、その駆動信号によってノズル内の吐出駆動素子が駆動されてノズルからインクが吐出される。
【０００８】
図９は前記吐出制御回路の構成を示すブロック図である。
この吐出量制御回路は、コントロール部３１１から各チャンネルに構成されるノズルの吐出有無を選択する画像シリアルデータ３１９をパラレルデータに変換する画像データシリアルパラレル変換回路３２２と、この変換データをデータラッチ信号３１８に応じてラッチする画像データラッチ回路（記録データ転送手段）３２１とこの画像データラッチ回路３２１から出力されたラッチデータに基づき各ノズルに対応するチャンネルを選択しこのノズルの吐出駆動素子３０９を駆動するための駆動信号パターンを発生する駆動信号パターン発生回路３２０とを備え、この駆動信号パターン発生回路３２０から出力された信号を、ヘッドノズル駆動回路３０４へと出力し、その信号に基づき、出力回路３１６から駆動信号が駆動タイミング信号３１７によってインクジェットヘッドの各ノズル内に設けられた吐出駆動素子３０９に供給される。
【０００９】
吐出駆動素子としては、インクに対し、熱エネルギーを発生させる方式、あるいは機械的エネルギーを発生させる方式などがあり、熱エネルギーを発生させる方式のヘッドでは、電気エネルギーを熱エネルギーに変換するヒータに相当する。また機械的エネルギーを発生させる方式としては、ノズルのインク室の吐出駆動用側壁に使用される圧電素子に相当する。
【００１０】
また、ここで示すヘッドノズル駆動回路３０４は、インク吐出量を駆動信号の電圧で制御するものとなっており、信号基準電圧回路３１４、信号電圧制御回路３１３と出力電圧増幅回路３１５とにより構成されている。
信号基準電圧回路３１４、信号電圧制御回路３１３は、描画コントロール部から設定制御電圧値の指令を受け、信号基準電圧回路３１４が描画電圧の中心値を設定し、信号電圧制御回路３１４が各ノズルの中心電圧値に対して補正電圧を設定するようになっており、また、出力電圧増幅回路３１５は、補正された制御電圧に基づいて駆動電圧を出力充放電回路３１６に供給するようになっている。
【００１１】
【特許文献１】
特開昭５９−７５２０５号公報
【００１２】
【特許文献２】
特開昭６３−２３５９０１号公報
【００１３】
【特許文献３】
特開平１−２１７３２０号公報
【００１４】
【発明が解決しようとする課題】
以上のように、インクジェット方式によりカラーフィルタを製造する場合、インクジェットヘッドでカラーフィルタ基板上を走査しながら、各画素にインクを吐出し、各画素部を着色することが考えられる。この場合、着色は、カラーフィルタの画素が形成されている領域へ一定量のインクを一定の間隔ごとに吐出して着色していくのが通常考えられる方法である。
【００１５】
ところで、一般の液晶表示装置等に用いられるカラーフィルタにおいては、ブラックマトリクス開口部（すなわち画素）は、長方形であり、これに対しインクジェットヘッドから吐出されるインク滴の形状は、略円形であるため１つの画素において必要なインク量を一度に吐出し、かつブラックマトリクスの開口部全体に均一にインクを広げることは困難である。そのため、インクジェットヘッドによって、画素を形成する基板を走査しながら複数のインク滴を吐出して長方形のブラックマトリックスに対して着色を行うようになっている。この描画動作の際には、インク滴の着弾位置の制御が行われて混色等を回避するようになっている。
【００１６】
近年、カラーフィルタ用基板の大きさは増大し、描画領域が拡大しているため、多くの描画時間がかかる傾向にある。従って、装置のスループットを向上させるためには描画時の走査速度を高める必要がある。また、カラーフィルタの画素の高精細化により画素面積が縮小してきており、描画時の着弾位置の制御分解能を高める必要がある。
【００１７】
このような、走査速度を高速化し、かつ画像分解能を高精細にするという要求に対し、現在は駆動周波数を高速化することで対応している。しかし、前記の（式２）の関係から駆動周期は駆動パルスの幅以下の時間に設定できないという制約があるため、必要な画像分解能に設定できず、その結果、要求される着弾位置制御ができないという問題が生じている。また、設定可能な範囲に駆動周期を設定し、必要な画像分解能を得るためには走査速度を低下させなければならず、描画のスループットが低下するという問題も生じている。
【００１８】
以上のように、インクジェット方式を採るカラーフィルタ製造装置の分野においては、画素間に混色のない高品位なカラーフィルタの生産性向上に対する新たな対応が重要な課題となっている。
【００１９】
本発明は上述した課題に鑑みてなされたものであり、インクジェット記録方式を採るカラーフィルタ製造装置において、インクジェットヘッドからのインクの吐出制御を行うことによって、カラーフィルタにおける画素間の混色を低減し、高分解能を有する高品位なカラーフィルタを高スループットで製造し得るようにすることを目的とする。
【００２０】
【課題を解決するための手段】
上述した課題を解決するため、本発明に係るインクジェット記録装置は、記録データに基づき記録ヘッドに設けられた記録素子からインクを吐出させる駆動回路を備えると共に、記録ヘッドと相対的に記録媒体を移動させることによって記録を行うようにしたインクジェット記録装置において前記駆動回路は前記記録データを所定の転送周期で順次転送する記録データ転送手段と前記記録データ転送手段から転送されてくる記録データが有効であるか否かに応じて駆動パルス信号の送出遮断を行う駆動パルス信号発生手段と前記駆動パルス信号の出力時間が複数の転送周期に及ぶ場合には、前記複数の転送周期以内における駆動パルス信号の切り替えを禁止する駆動パルス信号切り替え禁止手段を備え、異なる転送周期で有効となった記録データに基づき、異なる記録素子を時間的に重なるタイミングで駆動し得るようにしたことを特徴とする。
【００２１】
上記構成によれば、インクジェットヘッドの駆動周期と走査速度とで決定される画像分解能の設定を、インクジェットヘッドからインクを吐出させる駆動パルスの時間幅に影響されることなく設定可能となり、フィルター基板に対する高速描画と混色防止とを共に実現することが可能となる。
【００２２】
【発明の実施の形態】
以下、本発明の好適な一実施形態について図面を参照して詳細に説明する。
図１は本発明のインクジェット記録装置を適用するカラーフィルタ製造装置を示す外観斜視図である。
図１において、９０はカラーフィルタ製造装置、５１は装置架台、５２は装置架台５１上に配置されたＸＹθステージ、５３はＸＹθステージ５２上にセットされたカラーフィルタ基板、５４はカラーフィルタ基板５３上に形成されるカラーフィルタ、５５はカラーフィルタ５４の着色を行うＲ（赤）、Ｇ（緑）、Ｂ（青）のインクジェットヘッド、５８はカラーフィルタの製造装置９０の全体動作を制御する制御手段としてのコントローラである。５９はコントローラ５８に駆動入力を行うティーチングペンダントであり、製造の進行状況及びヘッドにおける異常の有無などの情報を表示する表示部６２と、カラーフィルタ製造装置９０の動作などを指示するキーボードなどの操作部６０とにより構成されている。
【００２３】
また、図２はカラーフィルタ製造装置９０の動作を制御するコントローラ５８の構成を示すブロック図である。
図２において、６５は前記ティーチングペンダント５９とのデータの受け渡しを行うインターフェース、６６はカラーフィルタ製造装置９０の制御を行うＣＰＵ、６７はＣＰＵ６６を動作させるための制御プログラムを記憶しているＲＯＭ、６８は生産情報等を記憶するＲＡＭ，７０はカラーフィルタの各画素内へのインクの吐出を制御する吐出制御部、７１はカラーフィルタ製造装置９０のＸＹθステージ５２の動作を制御するステージ制御部、９１はコントローラ５８に接続されその指示に従って動作するカラーフィルタ製造装置の本体部を示している。
【００２４】
図３は本実施形態の記録ヘッドから吐出させる場合のタイミングチャートを示している。また、図４にこの実施形態の記録ヘッドＰＨにおける１ブロックの制御系を拡大した構成図を示す。なお、同図において、図３と同一機能を有する部分には、同一符号を示している。
【００２５】
図４に示すように、コントロール部３１１は、後述の各回路の駆動を制御するものとなっている。すなわち、入力されたシリアル画像データ３１９は、画像データシリアルパラレル変換回路３２２によってパラレル記録信号に３２２に変換される。そして、画像データシリアルパラレル変換回路３２２から出力された記録信号は、コントロール部３１１からのデータラッチ信号３１８に従って画像データラッチ回路（画像データ転送手段）３２１によってラッチされ、ノズルごとに吐出するあるいはしないを制御する吐出信号２００３が駆動信号パターン発生回路３２４に転送される。この駆動信号パターン発生回路３２４はヘッドごとに各ノズル共通の駆動パターンで異なるタイミングで２つの駆動信号発生回路２１０２から出力される。この２つの駆動信号２１０２Ａ，２１０２Ｂが各ノズルに共通に構成される。この駆動パルス信号２１０２がパターン出力制御回路３２５に入力される。
【００２６】
パターン出力制御回路３２５は、切り替え信号発生回路３２３から入力される駆動パルス切り替え信号３００５に基づき、駆動パルス信号２１０２Ａ、２１０２Ｂの切り替えを行う。駆動パルス幅設定タイマＴ１、Ｔ２によって、前記駆動パルスの切り替え時間を変更することで前述の駆動パルス有効期間３００７ＭＡ，３００７ＭＢにおいて駆動パルス信号２００５ＭＡ，２００５ＭＢをヘッドノズル駆動回路３０４へと出力し、各駆動パルス信号の時間幅に応じて記録ヘッドにおけるＭノズルに必要な吐出時間を確保する。ヘッドノズル駆動回路３０４は、従来の構成と同様である。信号基準電圧発生回路３１４によって設定された基準電圧を電圧制御回路３１３と出力電圧増幅回路３１５とによって所定の出力電圧に変換し、その出力電圧を前記パターン出力制御回路から出力された駆動パルスによってオン、オフするスイッチングトランジスタなどからなる出力信号充放電回路３１６によって駆動素子３０９を印加して、インク吐出エネルギーの発生、遮断を行うようになっている。
【００２７】
一方、前記Ｍノズルの吐出動作に連続した次の吐出信号２００３をラッチした吐出中のＭノズル以外のＮノズルでは前記Ｍノズルの吐出信号と同様に、例えば２１０２ＡでＭノズルが吐出中に駆動パルス切り替え信号３００５により切り替えた駆動信号２１０２Ｂにより駆動パルスＮを出力することで吐出動作中のＭノズルを中断することなく連続するタイミングのノズルの動作が可能になる。
【００２８】
図５は、パターン出力制御回路３２５Ａの一例を示す図である。
ここに示す出力制御回路３２５Ａは、各記録ヘッドのノズルごとに設けられており、図ではＭノズルの２つの選択可能な駆動パターン３２０ＭＡと３２０ＭＢを切り替える回路ＣＭ１とＣＭ２を備える。同様にＮノズルに対応した回路も同様の回路構成であり、各信号をＮノズルに対応したものに読み替えればよい。
【００２９】
前記回路ＣＭ１は、ノズルＭの吐出信号２００３に基づいてラッチ回路を構成するフリップフロップＦ１１から出力された吐出信号ラッチ信号２００４と、駆動パルス切り替え信号３００５とに応じてアンド回路Ｇ１から吐出有効ステータス２１０３ＭＡを出力し、この吐出有効ステータス２１０３ＭＡと入力された駆動パルス信号２１０２Ａに基づいて出力パルス信号２００５ＭＡを出力する回路である。一方、回路ＣＭ２は、同様に吐出信号２００３と駆動切り替え信号３００５とに基づいて出力される吐出有効ステータス２１０３ＭＢと、入力される駆動パルス信号Ｂ２１０２Ｂとに基づいて、出力パルス信号２００５ＭＢを出力する回路となっている。この２種類の駆動信号のうちどちらかがノズルＭの駆動パルスとして出力される。すなわち、ＣＭ１は、ノズルＭの吐出信号２００３Ｍと駆動パルス信号２１０２Ａが入力されるアンド回路Ｇ１、その後段に設けられたフリップフロップＦ１２、このフリップフロップＦ１２の出力を一定時間保持させるタイマＴ１、フリップフロップＦ１２の出力と前述のアンド回路Ｇ１の出力をオア回路Ｇ２に入力し、このＧ２の出力が入力されると共に前記駆動パルス信号２１０２Ａが入力されるアンド回路Ｇ３とからなる。
【００３０】
一方、回路ＣＭ２は、駆動切換パルス信号３００５を反転させるインバータＩＶ１、このインバータＩＶ１にて反転された駆動パルス信号２１０２Ｂが入力されるアンド回路Ｇ４、その後段に設けられたフリップフロップＦ１３、このフリップフロップＦ１３の出力を一定時間保持させるタイマＴ２、フリップフロップＦ１３の出力と前述のアンド回路Ｇ４の出力を入力するオア回路Ｇ５さらにＧ５の出力と前記駆動パルス信号２１０２Ｂとが入力されるアンド回路Ｇ７とからなる。前記アンド回路Ｇ３とＧ７の出力パルス２００５ＭＡ，２００５ＭＢがオア回路Ｇ８に入力されＧ８からＭノズルの駆動信号が出力される。また、両回路ＣＭ１，ＣＭ２のＦ１２、Ｆ１３の出力は、それぞれインバータＩＶ２，ＩＶ３に入力されＩＶ２，３の出力がアンド回路Ｇ６に入力され、その出力は、フリップフロップＦ１１のリセット端子に入力されている。タイマＴ１，Ｔ２の出力はそれぞれＦ１２，Ｆ１３のリセット端子に接続されている。
【００３１】
図３は上記回路の実際の駆動時のタイムチャートの一例である。
図５のパターン制御回路が構成された連続した駆動のＭノズル，Ｎノズルの動作について以下に記述する。
【００３２】
上記構成を有する入力駆動信号切り替え回路３２５Ａ回路ＣＭにおいて、駆動パルス信号２１０２Ａまたは２１０２Ｂは、パルス切り替え信号３００５によって選択される。すなわち、パルス切り替え信号３００５がハイレベルの信号（Ｈ信号）であった場合には、ＣＭ２から駆動パルス信号２１０２Ａに基づく２００５ＭＢは出力されず、ＣＭ１のみから駆動パルス信号２１０２Ａに基づく２００５ＭＡが駆動２００５Ｍとして出力される。ここで、この駆動信号２００５Ｍは、前記パルス切り替え信号３００５が切り換わっても、タイマＴ１とフリップフロップＦ１２とによって、タイマＴ１にて設定された時間（駆動パルス有効期間２１０７）が経過するまでＨ信号を維持する。つまり、ノズルに付与する駆動パルス信号２１０２Ａの幅が吐出信号の設定周期よりも長い場合にも、パルス切り替え禁止期間２１０８においては、その駆動パルス信号２１０２ＡをノズルＭに印加することができる。このため、必要十分なエネルギーをノズルのヒータに供給することができ、適正な吐出動作を実現することができる。
【００３３】
一方、他方の回路ＣＭ２にあっては、前記パルス切り替え信号３００５がロウレベルの信号（Ｌ信号）に切り換わることによって、駆動パルス信号２１０２ＢのＨ信号がアンド回路Ｇ５から出力されることとなり、アンド回路Ｇ７から駆動パルス信号２１０２Ｂが出力される。
【００３４】
以上のパターン制御回路が構成された場合のＭノズル、Ｎノズルの動作シーケンスを図３の▲１▼−▲５▼に示す。連続する吐出設定状態において駆動パルス信号２１０２の幅が駆動周期２１０１より長い場合におけるノズルＭとＮの駆動において、パターン出力制御回路によりＭノズルが吐出期間中にあっても、ノズルＮはＭノズルと同等なパターン出力制御回路からの吐出動作が開始される。そして、ノズルＮに対する駆動パルス信号２１０２Ｂは、回路ＣＭと同様に、タイマＴにて設定される時間が経過するまで、Ｈ信号を維持することができ、これにより、ノズルＭが駆動を行っている期間に一部オーバーラップして次に駆動がなされるノズルＮの駆動を行うことができ、ノズルＮに対しても必要十分なエネルギーを供給することができ、適正な吐出動作を実現することができる。
【００３５】
以上のような構成によれば、入力可能な駆動パルス信号２１０２ＡおよびＢをノズルデータラッチタイミング毎に直前のノズルが駆動中であるかに応じて、駆動パルス切り替え信号３００５による切り替えタイミングの有効期間を変更することができる。すなわち、駆動パルス信号２１０２Ａまたは２１０２Ｂの幅に応じた有効期間をタイマＴ１およびＴ２により設定し、前記入力駆動信号切り替え禁止期間を持たせることによって、駆動するパルス幅に関係なく駆動周波数を設定することが可能になる。
【００３６】
なお、この実施形態では、タイマ回路５００６を回路で構成したが、ソフトウエアで同等の機能を実現することも可能である。
また、本実施形態では、駆動パルスの幅が駆動周期の２倍以下の場合で説明したが、例えば、駆動パルスの幅が駆動周期Ｎ倍以下の場合、Ｎ個の駆動パルス信号が必要となり、これらを同様に切換えて駆動パルスの出力を制御する。例えば、駆動パルスの幅が駆動周期４倍以下である場合は、４種類の駆動パルス信号が必要となり、これらの信号によって切り替える必要がある。
なお、上記実施形態に示した構成は一例であり、同等の機能を他の構成を有する回路やソフトウエアで実現することも可能である。
【００３７】
【発明の効果】
以上で説明したように、本発明によれば、駆動パルス幅に関係なく駆動周波数の設定が可能になるため、記録速度を高速にしつつ高い画像分解能を設定することが可能になる。このため、例えば、本発明のインクジェット記録装置をカラーフィルタの形成に適用した場合には、着弾位置を高精度に画像で補正しながら高速にカラーフィルタを形成することが可能になり、高品質のカラーフィルフィルタを高スループットで生産することが可能になる。
【図面の簡単な説明】
【図１】本発明のインクジェット記録装置を適用するカラーフィルタ製造装置の概略構成を示す外観斜視図である。
【図２】図１に示したカラーフィルタの製造装置の動作を制御する制御部の構成を示すブロック図である。
【図３】本発明の吐出制御タイミングを示すタイミングチャートである。
【図４】本発明の吐出制御回路の構成を示すブロック図である。
【図５】このパターン発生制御回路の一例を示す回路図である。
【図６】カラーフィルタの画素配列の構成を示した説明図である。
【図７】カラーフィルタ描画時の吐出制御機能を説明した説明図である。
【図８】従来の吐出制御タイミングを示すタイミングチャートである。
【図９】従来の吐出制御回路構成を示すブロック図である。
【符号の説明】
５２  ＸＹθステージ
５３  ガラス基板
５５  着色ヘッド
５８  コントローラ
５９  ティーチングペンダント
６０  キーボード
３００  カラーフィルタ基板
３０１  画素領域
３０３  インクジェットヘッド
３０４  ヘッド駆動回路
３０９  駆動素子
３１１  描画コントロール制御部
３１２  ノズルドライブ出力回路
３１３  電圧制御回路
３１４  信号基準電圧
３１５  出力電圧増幅回路
３１６  出力充電放電回路
３１７  駆動タイミング信号
３１８  データラッチ信号
３１９  画像シリアルデータ
３２０  駆動信号パターン発生出力回路
３２１  画像データラッチ回路
３２２  画像データシリアルパラレル変換回路
【図１】
2004347816.tif 000003
【図２】
2004347816.tif 000004
【図３】
2004347816.tif 000005
【図４】
2004347816.tif 000006
【図５】
2004347816.tif 000007
【図６】
2004347816.tif 000008
【図７】
2004347816.tif 000009
【図８】
2004347816.tif 000010
【図９】
2004347816.tif 000011